(57)【要約】【課題】装置本体内における熱的影響を受けずに、現像カートリッジ毎の記憶素子に正確かつ迅速にアクセス可能な画像形成装置を提供すること。【解決手段】現像ロータリーユニット１５内の現像カートリッジ１４のいずれかが感光体ドラム１２に対面してその表面の静電潜像をトナー現像し、このトナー像を記録用紙に転写定着させることにより画像形成する画像形成装置であって、現像カートリッジに各種情報を書換可能に保持するメモリタグ４１が貼付され、本体側アンテナ５１に対面する通信位置で送受信回路５２がそのメモリタグとの間でやり取りして各種情報の読出や書換を行う機能を備え、定着ローラ対１８などの発熱体から離隔する外装カバー１００の隣接位置をその通信位置に設定し、この通信位置の周囲の空気を排気経路６２内に吸込むように吸込口が形成された排気ダクト６０を設ける。【選択図】図１
2006227582.tif 000002
【特許請求の範囲】
【請求項１】
静電潜像を担持するための担持体と、
該担持体表面の静電潜像にトナーを選択的に付着させて該静電潜像を現像するための現像カートリッジと、
装置本体に設けられ前記現像カートリッジの複数を回転軸の周囲に挿脱可能に収納して該回転軸を中心に回転することによりいずれかの現像カートリッジを担持体表面に対向させる現像ロータリーユニットと、
前記現像カートリッジに関する情報を記憶保持する記憶素子であって、前記現像ロータリーユニットにより回転移動して前記現像カートリッジが停止する複数の停止位置のうち、前記装置本体の外装カバーに前記現像カートリッジの外面が最近接する停止位置に停止して前記装置本体と通信する際に、前記現像カートリッジの前記外面のうち前記外装カバーとの距離が最も近くなる位置に設けられている記憶素子と、  
を有することを特徴とする画像形成装置。
【請求項２】
前記装置本体と前記記憶素子とが通信する位置では、前記記憶素子が前記装置本体内の発熱体から最も離隔する領域に位置することを特徴とする請求項１に記載の画像形成装置。
【請求項３】
前記外装カバーには、前記装置本体と前記記憶素子とが通信する位置の近傍に通気孔が形成されていることを特徴とする請求項１または２に記載の画像形成装置。
【請求項４】
前記装置本体と前記記憶素子とが通信する位置では、前記記憶素子付近に強制的に空気の流れを発生させて該記憶素子付近の部材表面に空気を送る送風手段を備えることを特徴とする請求項１から３のいずれかに記載の画像形成装置。
【請求項５】
前記装置本体と前記記憶素子とが通信する位置における前記記憶素子の近傍に吸込口が形成され、前記装置本体内の空気を吸引して装置外に排気するための排気ダクトを有し、
前記送風手段は、前記排気ダクト内に空気が吸い込まれることにより、前記記憶素子付近に強制的に空気の流れを発生させることを特徴とする請求項４に記載の画像形成装置。
【請求項６】
前記記憶素子と前記装置本体とは、現像カートリッジ側および装置本体側の対面可能な位置にアンテナが設置されて非接触にて通信し、該現像カートリッジ側の前記アンテナには前記記憶素子が隣接していることを特徴とする請求項１から５のいずれかに記載の画像形成装置。
【発明の詳細な説明】
【技術分野】
【０００１】
本発明は、画像形成装置に関し、詳しくは、トナーを収容するカートリッジ毎に設置されている記憶素子に、正確かつ迅速にアクセスして利用することができるようにしたものに関する。
【背景技術】
【０００２】
従来より、感光体により作製した担持体の表面に静電潜像を露光形成する電子写真記録方式の画像形成装置が知られており、この画像形成装置では、その静電潜像をトナー現像して担持させた担持体表面のトナー像を、記録用紙などの記録媒体に転写して画像形成する。このトナー像は、担持体表面に対面する現像ローラを回転させてそのローラの外周面上のトナーを、その担持体表面の静電潜像に選択的に乗り移らさせて付着させることによりトナー現像する。
【０００３】
この電子写真記録方式を採用する画像形成装置は、担持体に対面させる現像ローラなどと共にトナーを収容する容器を備える現像カートリッジ（現像器）が挿脱可能に装着されており、この現像カートリッジを現像ロータリーユニット内に複数収納可能に構成された装置も存在する。この画像形成装置では、その現像ロータリーユニットを回転軸を中心に回転させることにより、担持体に現像ローラを対面させる現像位置の現像カートリッジを切り換えることができる。
【０００４】
このことから、このような画像形成装置は、担持体表面にトナーを付着させる現像カートリッジとして、イエロー（Ｙ）、マゼンタ（Ｍ）、シアン（Ｃ）、ブラック（Ｋ）のトナーをそれぞれ収容する現像カートリッジを現像ロータリーユニットに収納（装着）可能に構成することにより、現像カートリッジを順次に切り換えて各色トナーを重ねたカラー画像を形成することができる。なお、この構成では、一色のトナーによる単色画像、例えば、ブラック（Ｋ）のトナーによる白黒のモノクロ画像（以下、単にモノクロ画像ともいう）を形成することができることはいうまでもない。
【０００５】
そして、この現像ロータリーユニットを備える画像形成装置は、複数の現像カートリッジ毎にトナーの色などを任意に選択することができ、またトナー残量なども異なることから、その現像カートリッジ毎に各種情報を記憶保持するメモリ（記憶素子）を設置することが提案されている（例えば、特許文献１参照）。この場合には、現像カートリッジのメモリにアクセスすることにより、そのメモリ内の情報を読み出して現像カートリッジの種別の確認を可能にしたり、収容するトナーの残量などを書き換えるなどして、現像カートリッジに自身の各種情報を付帯させることができる。
【特許文献１】国際公開ＷＯ０３／０９８３５６号公報
【発明の開示】
【発明が解決しようとする課題】
【０００６】
しかしながら、このような画像形成装置にあっては、担持体表面に静電潜像を露光形成する装置や、トナー像を転写された記録用紙などに加熱圧接してそのトナー像を定着させる定着器などのように発熱する機器が装置本体内に配置されている。このため、その熱的影響を現像カートリッジに設置されているメモリが受けてしまうと、その画像形成装置の現像カートリッジに設置する記憶素子には、少なくとも悪影響しかなく、最悪の場合には、そのメモリ内の記憶情報の読出や書込（書換）にエラーが生じる恐れがある。
【０００７】
また、装置本体側から現像カートリッジのメモリに非接触通信してその記憶情報の読出や書込を行う場合に、通信制御部が装置本体内の熱的な影響を受けてしまうと、同様に、少なくとも悪影響しかなく、最悪の場合には、通信能力が低下してしまう恐れがある。
【０００８】
そこで、本発明は、装置本体内における熱的影響をできるだけ受けないようにすることにより、記憶情報の処理にエラーが生じたり、通信能力の低下が生じないようにして、現像カートリッジ毎の記憶素子に正確かつ迅速にアクセスして利用することのできる画像形成装置を提供することを目的とする。
【課題を解決するための手段】
【０００９】
前記目的を達成するための主たる発明は、静電潜像を担持するための担持体と、該担持体表面の静電潜像にトナーを選択的に付着させて該静電潜像を現像するための現像カートリッジと、装置本体に設けられ前記現像カートリッジの複数を回転軸の周囲に挿脱可能に収納して該回転軸を中心に回転することによりいずれかの現像カートリッジを担持体表面に対向させる現像ロータリーユニットと、前記現像カートリッジに関する情報を記憶保持する記憶素子であって、前記現像ロータリーユニットにより回転移動して前記現像カートリッジが停止する複数の停止位置のうち、前記装置本体の外装カバーに前記現像カートリッジの外面が最近接する停止位置に停止して前記装置本体と通信する際に、前記現像カートリッジの前記外面のうち前記外装カバーとの距離が最も近くなる位置に設けられている記憶素子と、を有することを特徴とする画像形成装置である。
【００１０】
本発明の他の特徴は、本明細書、及び添付図面の記載により、明らかにする。
【発明を実施するための最良の形態】
【００１１】
＝＝＝開示の概要＝＝＝
本明細書の記載、及び添付図面の記載により、少なくとも次のことが明らかにされる。
【００１２】
上記課題を解決する画像形成装置の第１の発明は、画像データに基づく静電潜像が表面に形成されて該静電潜像を現像したトナー像を担持する担持体と、該担持体表面の静電潜像にトナーを選択的に付着させて該静電潜像を現像する現像カートリッジと、該現像カートリッジの複数を回転軸の周囲に挿脱可能に収納して該回転軸を中心に回転することによりいずれかの現像カートリッジを担持体表面に対面させる現像ロータリーユニットと、受け取った画像データや各種情報に基づいて担持体および現像カートリッジを含む装置各部の駆動を制御する制御部と、を備えて、担持体表面のトナー像を記録媒体に転写して定着させることにより画像を形成する画像形成装置であって、現像カートリッジに関する情報を記憶保持する記憶素子を当該現像カートリッジの外面に設置するとともに、制御部の処理する情報として少なくとも該記憶素子内の情報を読み出す通信を実行する通信手段を具備して、現像ロータリーユニットにより回転移動して装置本体の外装カバーの近傍に停止したときに該外装カバーに沿う位置に記憶素子を配置するとともに、該停止位置を通信手段による通信位置として設定されていることを特徴とするものである。
【００１３】
この発明では、回転停止して記憶情報のやり取りをする通信時（位置）における現像カートリッジ外面の記憶素子は、装置本体の外装カバーに沿う位置に、言い換えると、現像カートリッジの外面で設置可能な箇所で、装置本体の外装カバーに最も接近する位置に設置されている。したがって、現像カートリッジ外面の記憶素子は、通信時には、装置本体の外装カバーを介する外気温に近い環境で、記憶情報の読出あるいは書込を行うことができ、装置本体内の発熱体となる装置からの熱的な影響を受けることを少なくすることができる。
【００１４】
上記課題を解決する画像形成装置の第２の発明は、上記第１の発明の特定事項に加え、前記通信位置の記憶素子は、装置本体内の発熱体から最も離隔する領域に位置することを特徴とするものである。  
この発明では、現像カートリッジ外面の記憶素子は、通信時には、装置本体の外装カバーに最も接近するのと同時に、装置本体内の発熱体から最も離隔する領域に位置するようにその通信位置が設定されている。したがって、現像カートリッジ外面の記憶素子は、装置本体の外装カバーを介する外気温に近い環境で、同時に、装置本体内の発熱体となる装置からの熱的影響をできるだけ少なくすることができる。
【００１５】
上記課題を解決する画像形成装置の第３の発明は、上記第１または第２の発明の特定事項に加え、前記外装カバーには、通信位置に位置する記憶素子の近傍に通気孔が形成されていることを特徴とするものである。  
この発明では、現像カートリッジ外面の記憶素子は、通信時には、装置本体の外装カバーに最も接近して、その外装カバーの通気孔から流入する外気に曝される。したがって、現像カートリッジ外面の記憶素子は、装置本体外部の外気温に近い環境で、エラーの発生や処理能力の低下を効果的に回避しつつ記憶情報の読出あるいは書込を行うことができる。
【００１６】
上記課題を解決する画像形成装置の第４の発明は、上記第１から第３のいずれかの発明の特定事項に加え、前記通信位置の記憶素子付近に強制的に空気の流れを発生させて該記憶素子付近の部材表面に空気を送る送風手段を備えることを特徴とするものである。  
この発明では、現像カートリッジ外面の記憶素子は、通信時には、装置本体の外装カバーに最も接近する位置で、強制的に発生させる空気の流れに曝される。したがって、現像カートリッジ外面の記憶素子は、装置本体外部の外気温に近い空気が強制的に吹き付けられることにより、熱が持ち去られて温度上昇することが回避され、エラーの発生や処理能力の低下を効果的に回避しつつ記憶情報の読出あるいは書込を行うことができる。
【００１７】
上記課題を解決する画像形成装置の第５の発明は、上記第４の発明の特定事項に加え、装置本体内の一部を吸引して装置外に排気する排気ダクトを備えており、前記送風手段は、通信位置の記憶素子の近傍の排気ダクトに吸込口が形成されることにより構成され、該排気ダクト内に周囲の空気が吸い込まれることにより該記憶素子付近に強制的に空気の流れを発生させることを特徴とするものである。  
この発明では、現像カートリッジ外面の記憶素子は、通信時には、装置本体の外装カバーに最も接近する位置で、排気ダクトの吸込口から周囲の空気が吸われて発生する空気の流れに曝される。したがって、現像カートリッジ外面の記憶素子は、特別な送風装置を設けることなく、温度上昇することが回避され、エラーの発生や処理能力の低下を効果的に回避しつつ記憶情報の読出あるいは書込を行うことができる。
【００１８】
上記課題を解決する画像形成装置の第６の発明は、上記第１から第５のいずれかの発明の特定事項に加え、前記通信手段は、現像カートリッジ側および装置本体側の対面可能な位置にアンテナが設置されて非接触通信する機能を備えるとともに、該現像カートリッジ側のアンテナには記憶素子が隣接していることを特徴とするものである。  
この発明では、現像カートリッジ外面の記憶素子には通信手段のアンテナが隣接するとともに、通信時には、装置本体側のアンテナが対面する。したがって、現像カートリッジ外面の記憶素子に加えて、現像カートリッジ側と装置本体側の双方のアンテナや、このアンテナを介して通信制御する装置本体側の構成部品が外気温に近い環境で、エラーの発生や処理能力の低下を効果的に回避しつつ、その非接触の通信処理や記憶情報の読出あるいは書込を行うことができる。
【００１９】
また、静電潜像を担持するための担持体と、該担持体表面の静電潜像にトナーを選択的に付着させて該静電潜像を現像するための現像カートリッジと、装置本体に設けられ前記現像カートリッジの複数を回転軸の周囲に挿脱可能に収納して該回転軸を中心に回転することによりいずれかの現像カートリッジを担持体表面に対向させる現像ロータリーユニットと、前記現像カートリッジに関する情報を記憶保持する記憶素子であって、前記現像ロータリーユニットにより回転移動して前記現像カートリッジが停止する複数の停止位置のうち、前記装置本体の外装カバーに前記現像カートリッジの外面が最近接する停止位置に停止して前記装置本体と通信する際に、前記現像カートリッジの前記外面のうち前記外装カバーとの距離が最も近くなる位置に設けられている記憶素子と、を有することを特徴とする画像形成装置である。
【００２０】
このような画像形成装置によれば、記憶素子と装置本体とが通信する際に現像カートリッジが停止する位置は、複数の停止位置のうち、現像カートリッジの外面と外装カバーとが最近接する停止位置であり、その外面において、記憶素子が設けられている位置は、記憶素子と外装カバーとの距離が最も近くなる停止位置なので、通信時には、外装カバーの外側の気温、すなわち、外気温に近い環境で、記憶情報の読出あるいは書込を行うことが可能である。このため、装置本体内の発熱体となる部位からの熱的な影響が少なく、良好に通信することが可能である。
【００２１】
かかる画像形成装置において、装置本体と記憶素子とが通信する位置では、前記記憶素子が前記装置本体内の発熱体から最も離隔する領域に位置することが望ましい。  
このような画像形成装置によれば、通信時には、現像カートリッジ外面の記憶素子は、装置本体の外装カバーに最接近するのと同時に、装置本体内の発熱体から最も離隔する領域に位置するようにその通信位置が設定されている。このため、装置本体と記憶素子とが通信する位置では、発熱体から最も離隔された、装置内の温度の低い位置に配置されるとともに、発熱体により温度が上昇した装置内の温度より低い温度の外気と接する外装カバーに最近接しているので、記憶素子の温度が上昇することを抑えることが可能であり、また、温度の上昇による通信への影響を抑えて、装置本体との良好な通信を確保することが可能である。
【００２２】
かかる画像形成装置において、前記外装カバーには、前記装置本体と前記記憶素子とが通信する位置の近傍に通気孔が形成されていることが望ましい。  
このような画像形成装置によれば、装置本体と記憶素子とが通信する位置では、現像カートリッジ外面の記憶素子は、装置本体の外装カバーに最も接近している。このため、外装カバーに通気孔が形成されていることにより、当該通気孔から流入する外気に曝され、記憶素子が冷却されることになる。したがって、現像カートリッジ外面の記憶素子は、装置本体外部の外気温に近い環境で、エラーの発生や処理能力の低下を効果的に回避しつつ記憶情報の読出あるいは書込を行うことができる。
【００２３】
かかる画像形成装置において、前記装置本体と前記記憶素子とが通信する位置では、前記記憶素子付近に強制的に空気の流れを発生させて該記憶素子付近の部材表面に空気を送る送風手段を備えることが望ましい。  
このような画像形成装置によれば、送風手段により強制的に発生された空気の流れにより、記憶素子付近の部材表面に空気が送られる。すなわち、装置本体と前記記憶素子とが通信する位置では、現像カートリッジ外面の記憶素子は、送風手段により送られた空気により強制的に曝される。したがって、現像カートリッジ外面の記憶素子は、空気が強制的に吹き付けられることにより、熱が持ち去られて温度上昇することが回避され、エラーの発生や処理能力の低下を効果的に回避しつつ記憶情報の読出あるいは書込を行うことができる。
【００２４】
かかる画像形成装置において、前記装置本体と前記記憶素子とが通信する位置における前記記憶素子の近傍に吸込口が形成され、前記装置本体内の空気を吸引して装置外に排気するための排気ダクトを有し、前記送風手段は、前記排気ダクト内に空気が吸い込まれることにより、前記記憶素子付近に強制的に空気の流れを発生させることが望ましい。  
このような画像形成装置によれば、装置本体と記憶素子とが通信する位置における記憶素子の近傍に排気ダクトの吸込口が形成されているので、排気ダクトの吸込口から空気が吸われることにより記憶素子の周囲に気流が発生する。このため、発生した気流により現像カートリッジ外面の記憶素子は、特別な送風装置を設けることなく、温度上昇することが回避され、エラーの発生や処理能力の低下を効果的に回避しつつ記憶情報の読出あるいは書込を行うことができる。
【００２５】
かかる画像形成装置において、前記記憶素子と前記装置本体とは、現像カートリッジ側および装置本体側の対面可能な位置にアンテナが設置されて非接触にて通信し、該現像カートリッジ側の前記アンテナには前記記憶素子が隣接していることが望ましい。  
このような画像形成装置によれば、装置本体側と現像カートリッジ側のアンテナが非接触状態で対向して非接触通信する。このため、例えば装置本体側の接点と記憶素子側の接点とが物理的に接触して通信する場合のように、接点同士を接触させるためにいずれかの接点を移動させるなどの制御動作を行うことなく、現像カートリッジ外面の記憶素子に迅速にアクセスすることができる。そして、アンテナは記憶素子と隣接しているので、記憶素子とほぼ同様の環境下にアンテナを配置させ、エラーの発生や処理能力の低下を効果的に回避しつつ、その非接触の通信処理や記憶情報の読出あるいは書込を行うことができる。例えば、アンテナが記憶素子同様に外装カバーに最近接している場合には、外気温に近い環境で、記憶情報の読出あるいは書込を良好に行うことが可能であり、記憶素子が発熱体から最も離隔された領域に位置すればアンテナも発熱体から最も離隔されるので、熱的な影響が少なく、良好に通信することが可能である。
【００２６】
＝＝＝画像形成装置＝＝＝
以下、本発明の最良の実施形態を図面に基づいて説明する。図１〜図５は本発明に係る画像形成装置の一実施形態を示す図である。
【００２７】
図１および図２において、画像形成装置は、文字等の画像を作成・出力するパーソナルコンピュータＰＣなどの外部装置に接続して利用するプリンターであり、この画像形成装置は、画像形成する文字等の画像データを受け取って電子写真方式により記録用紙（記録媒体）の一面側または両面側に記録形成する画像記録装置１０と、積載する複数枚の記録用紙をこの画像記録装置１０に搬送するとともに画像を記録形成されたその記録用紙を装置外に搬出して積載する用紙搬送装置２０と、パーソナルコンピュータＰＣに接続されて受け取った画像データなどに基づいて画像記録装置１０および用紙搬送装置２０を含む装置全体を統括制御することにより記録用紙に画像を形成してプリントアウトする制御ユニット３０と、により構成されている。
【００２８】
画像記録装置１０は、簡単に説明すると、図１に示すように、画像データに基づいてレーザ光Ｌを走査するレーザ光走査装置１１と、このレーザ光走査装置１１からのレーザ光Ｌを照射・走査されて画像データに基づく静電潜像が表面に露光・形成される感光体ドラム（担持体）１２と、レーザ光Ｌの照射により静電潜像を形成可能に感光体ドラム１２の外周表面を帯電させる帯電器１３と、イエロー（Ｙ）、シアン（Ｃ）、マゼンダ（Ｍ）、ブラック（Ｋ）のトナーを収容して感光体ドラム１２上の静電潜像をトナー現像する各色毎の現像カートリッジ１４（１箇所のみ図示）と、この現像カートリッジ１４をその各色毎の設置空間１５ａ内に収納して回転軸１５ｂを中心に回転する現像ロータリーユニット１５と、感光体ドラム１２上に現像されたトナー像を受け取って記録用紙上に転写記録可能なトナー画像（モノクロ画像あるいはカラー画像）を形成する中間転写ベルト（中間転写媒体）１６と、搬送されてきた記録用紙を中間転写ベルト１６との間で挟むように圧接（ニップ）することによりその中間転写ベルト１６が担持するトナー像を転写させるとともにその記録用紙を挟持しつつ下流へと搬送する転写ローラ１７と、トナー像を転写されて搬送されてきた記録用紙を加熱圧接することによりそのトナー画像を定着させるとともにその記録用紙をさらに下流側へと挟持搬送する定着ローラ対１８と、感光体ドラム１２上に残留するトナーをブレード１９ａにより回収して貯留する廃トナータンク１９と、を備えている。
【００２９】
これにより、画像記録装置１０は、レーザ光走査装置１１により感光体ドラム１２表面に形成された画像データに基づく静電潜像を、その画像データに応じて切り換えられた現像ロータリーユニット１５内の現像カートリッジ１４がトナー現像するようになっておりこの後に、その感光体ドラム１２上のトナー像を、中間転写ベルト１６を介して用紙搬送装置２０により搬送されてきた記録用紙に転写記録した後に定着ローラ対１８が加熱圧接して定着させることにより画像形成する。なお、この画像記録装置の中間転写ベルト１６および転写ローラ１７や、定着ローラ対１８は、記録用紙を搬送する機能も備えることから、以下で説明する用紙搬送装置２０の一部をも構成している。また、中間転写ベルト１６のユニットにも、そのベルト１６上に残留するトナーをブレードにより回収して貯留する廃トナータンクが設けられている。
【００３０】
用紙搬送装置２０は、簡単に説明すると、図１に示すように、装置本体下部に着脱可能にセットされて複数枚の記録用紙を積載する用紙カセット２１と、この用紙カセット２１の底面の昇降板２１ａにより上昇された記録用紙束に圧接して回転することにより最上の記録用紙を引き出して搬送経路ｆへと送り出すピックアップローラ２２と、このピックアップローラ２２により送り出されてきた記録用紙を受け取ってさらに下流の搬送経路ｆへと挟持搬送する中継搬送ローラ対２３ａ、２３ｂと、この中継搬送ローラ対２３ａ、２３ｂが搬送する搬送経路ｆ内の記録用紙を受け取って画像記録装置１０の中間転写ベルト１６および転写ローラ１７による画像の記録形成位置に挟持搬送するレジストローラ対２４と、このレジストローラ対２４から中間転写ベルト１６および転写ローラ１７の間や定着ローラ対１８間を経る搬送経路ｆを搬送されることにより一面側に定着画像が形成された記録用紙を受け取って装置本体上部の排紙テーブル２９上に搬出・排紙して積載する排紙ローラ対２５ａ、２５ｂと、を備えている。
【００３１】
これにより、用紙搬送装置２０は、用紙カセット２１内からピックアップローラ２２により引き出された記録用紙を、中継搬送ローラ対２３ａ、２３ｂを介してレジストローラ対２４に受け渡した後に、そのレジストローラ対２４が画像記録装置１０の動作に同期するように、中間転写ベルト１６と転写ローラ１７が圧接する画像の記録形成位置に給紙するようになっており、その中間転写ベルト１６上のトナー像を転写記録させて定着ローラ対１８を介して画像データに基づく画像を定着（記録形成）させた記録用紙を、排紙ローラ対２５ａ、２５ｂが排紙テーブル２９上に搬出・排紙して積載する。
【００３２】
なお、この用紙搬送装置２０は、一面側に画像形成された記録用紙を反転させてレジストローラ対２４の上流側の搬送経路ｆに送り出すための再搬送経路ｒおよびその経路ｒに配設された中間搬送ローラ対２７を備えており、排紙ローラ対２５ａ、２５ｂが反転することにより再搬送経路ｒ内に送られてきた記録用紙を中間搬送ローラ対２７が受け取ってレジストローラ対２４に受け渡すことにより、記録用紙の両面に画像形成することができる。また、この用紙搬送装置２０は、手差しする記録用紙をレジストローラ対２４の上流側の搬送経路ｆに送り出すための手差し経路ｍおよびその経路ｍに配設された手差し給送ローラ対２８を備えており、その手差し経路ｍ内に差し込まれた記録用紙を手差し給送ローラ対２８が受け取ってレジストローラ対２４に受け渡すことにより、記録用紙の片面または両面に画像形成することができる。
【００３３】
制御ユニット３０は、図２に示すように、装置本体内に搭載される回路基板上に構築されたコントローラ部３１およびエンジン制御部３２により構成されており、これらが予め準備されているプログラムに従って各種のデータ処理制御や装置各部の駆動制御を実行する。
【００３４】
簡単に説明すると、コントローラ部３１は、不図示のＣＰＵがメモリ内に格納されている処理プログラムに従って各種処理手順を実行することにより、パーソナルコンピュータＰＣのプリンタドライバとの間で印字命令などの各種情報をやり取りするとともに、記録用紙に画像形成（印字）するテキスト等の画像データを受け取って不図示のメモリ内に一時記憶する。このコントローラ部３１は、パーソナルコンピュータＰＣから受け取る画像データ（画像情報信号）がレッド（Ｒ）、グリーン（Ｇ）、ブルー（Ｂ）の所謂、ＲＧＢデータであることから、これらを印刷可能なイエロー（Ｙ）、マゼンダ（Ｍ）、シアン（Ｃ）、ブラック（Ｋ）の所謂、ＹＭＣＫデータの画像データに変換しつつ、メモリ内から読み出してエンジン制御部３２に受け渡す。
【００３５】
エンジン制御部３２は、ＣＰＵ３３がＲＯＭ３４内に格納されている制御プログラムに従って、コントローラ部３１から例えば、ページ単位で画像データを受け取って本体メモリ３５内に一時記憶するとともに、ＲＡＭ３６をワークエリアとして使用しつつ画像記録装置１０および用紙搬送装置２０との間で各種情報をやり取りすることにより、その画像データに基づく画像を記録用紙に形成する。また、このときに、ＣＰＵ３３は、この画像形成制御を実行する際には、内蔵するタイマー機能（計時手段）３３ａにより各種処理時間などを計時することにより、装置各部を最適に動作させる。
【００３６】
これにより、制御ユニット３０は、パーソナルコンピュータＰＣなどから画像データを受け取ると、コントローラ部３１が一次記憶しつつＲＧＢデータからＹＭＣＫデータに変換した画像データをエンジン制御部３２に出力するようになっており、このエンジン制御部３２のＣＰＵ３３が、ＲＯＭ３４内の制御プログラムに従って本体メモリ３５内にページ単位に記憶するコントローラ部３１からの画像データに基づいてＲＡＭ３６をワークエリアとして使用しつつ装置各部の駆動を統括制御することにより、用紙搬送装置２０が用紙カセット２１内から記録用紙を引き出して排紙テーブル２９上に搬出する一方、画像記録装置１０がその画像データに基づいて感光体ドラム１２上に形成した静電潜像を現像カートリッジ１４によりトナー現像して、そのトナー像を搬送されてきた記録用紙の片面または両面に転写・定着させて画像形成する。
【００３７】
なお、図２中、Ｉ／Ｏインターフェース３７は、各種情報をやり取り可能に、画像記録装置１０、用紙搬送装置２０およびコントローラ部３１と、エンジン制御部３２と、の間を接続している。Ｄ／Ａコンバータ３８およびＡ／Ｄコンバータ３９は、エンジン制御部３２が画像記録装置１０、用紙搬送装置２０およびコントローラ部３１との間でやり取りするその各種情報をそれぞれで処理することができるように、デジタル信号（Ｄ）をアナログ信号（Ａ）に変換したり、アナログ信号をデジタル信号に変換する。
【００３８】
そして、画像記録装置１０の現像カートリッジ１４は、現像ロータリーユニット１５の回転軸１５ｂを中心に回転する区画フレーム１５ｃにより区画されている複数の収納位置内に収納可能に外形を相似形状に形成されており、エンジン制御部３２のＣＰＵ（制御部）３３がコントローラ部３１を介して受け取ったパーソナルコンピュータＰＣからの画像データを含む印字命令に基づいて現像ロータリーユニット１５が回転軸１５ｂを中心に回転させることにより、感光体ドラム１２に対面する現像カートリッジ１４が切り換えられて記録用紙の片面または両面に転写・定着させて画像形成するトナー像を現像する。
【００３９】
例えば、この画像記録装置１０は、イエロー（Ｙ）、シアン（Ｃ）、マゼンダ（Ｍ）、ブラック（Ｋ）の各色トナーを収容する現像カートリッジ１４を現像ロータリーユニット１５内に収納して感光体ドラム１２上の静電潜像を現像するトナーの色を切り換えることにより、受け取った画像データに基づいてその各色のトナーを色重ねしたり選択してカラー画像から単色画像までを印字形成することができる。
【００４０】
また、この画像記録装置１０は、すべての現像カートリッジ１４内に同色のトナーを収容して現像ロータリーユニット１５に収納しても画像形成することができ、例えば、同色のブラック（Ｋ）のトナーを収容する４本の現像カートリッジ１４を収納することにより、感光体ドラム１２上の静電潜像を現像する現像カートリッジ１４を順次に切り換えてモノクロ画像を連続印字して形成する専用機として利用することができる。
【００４１】
この現像カートリッジ１４には、全体として極小型で薄型に作製された所謂、メモリタグ４１が片面の粘着面により所定の外面に貼付されており、メモリタグ４１は、図１に図示する装置本体側の本体側アンテナ５１に対面する回転位置（通信位置）に移動したときに、装置本体の外装カバー１００に沿う位置、言い換えると、その外装カバー１００に最も接近するように現像カートリッジ１４の外面に設置（貼付）されている。このメモリタグ４１は、その本体側アンテナ５１を介して装置本体側の送受信回路５２との間で非接触通信して各種情報のやり取りをすることにより必要な情報を記憶保持するとともにエンジン制御部３２のＣＰＵ３３に必要な情報を受け渡すように設計されている。ここで、装置本体側の本体側アンテナ５１は、後述する現像側アンテナ４３と略同様に作製されてメモリタグ４１との間で非接触通信可能に、通信位置のメモリタグ４１に対して、例えば、離隔間隔が１０ｍｍ以内になるように設置されている。この本体側アンテナ５１には、送受信回路５２を構成してメモリタグ４１との間で非接触通信を行う回路基板が接続されており、この送受信回路５２は、Ｉ／Ｏインターフェース３７を介して装置本体側のエンジン制御部３２のＣＰＵ３３に接続されている。
【００４２】
具体的には、現像カートリッジ１４側のメモリタグ４１は、図３（ａ）に示すように、本体側アンテナ５１を介する送受信回路５２からの命令に基づいて各種情報を記憶保持するとともにその各種情報のうち必要な情報を読み出してその送受信回路５２に受け渡す非接触ＩＣチップ４２と、この非接触ＩＣチップ４２および金属皮膜をエッチングして形成された共振用コンデンサ４３ａを並列接続された平面状コイルよりなる現像側アンテナ４３と、がプラスチックフィルム上に実装されて透明なカバーシートにより被覆されている。これにより、メモリタグ４１は、装置本体側の送受信回路５２で発生された高周波信号により本体側アンテナ５１を介して誘起される高周波磁界を現像側アンテナ４３が受け取って（吸収して）、非接触ＩＣチップ４２に入力することができる。
【００４３】
このメモリタグ４１の非接触ＩＣチップ４２は、図３（ｂ）に示すように、現像側アンテナ４３を介して受け取る装置本体側の送受信回路５２からの高周波磁界（高周波信号）を整流してチップ内の各回路を駆動する直流電力源とする整流器４４と、この受け取った高周波磁界の高周波信号を解析するとともに、装置本体側の送受信回路５２に受け渡す各種信号に基づく高周波信号を生成して現像側アンテナ４３に入力することにより本体側アンテナ５１が吸収可能な高周波磁界を発生させる信号解析ＲＦ（Ｒａｄｉ  Ｆｒｅｑｕｅｎｃｙ）４５と、書き込まれた情報を記憶保持するとともに、その記憶情報を外部から読出可能で不揮発性の例えば、ＮＡＮＤ型フラッシュＲＯＭなどのメモリセル４６と、整流器４４を介する直流電源で駆動しつつ信号解析ＲＦ４５を介して各種信号を装置本体側の送受信回路５２との間でやり取りすることによりメモリセル４６内の記憶情報を書き換えるとともに読み出した記憶情報をその送受信回路５２に受け渡す制御部４７と、を備えている。すなわち、メモリセル４６が記憶素子を構成するとともに、このメモリセル４６を内蔵する非接触ＩＣチップ４２が現像側アンテナ４３に隣接する現像カートリッジ１４側の通信手段を構成しており、本体側アンテナ５１と送受信回路５２が装置本体側の通信手段を構成している。
【００４４】
ここで、この非接触ＩＣチップ４２のメモリセル４６内には、メモリタグ４１毎のシリアル番号等の固有のＩＤ情報、現像カートリッジ１４の製造年月日や製造番号などの製造情報、現像カートリッジ１４の仕向地情報、現像カートリッジ１４を装着可能な機種情報、現像カートリッジ１４内に収容されているトナーの色や残量などのトナー情報、また、現像カートリッジ１４のリサイクル回数や着脱回数などの必要な各種情報が記憶保持されている。これにより、制御ユニット３０のエンジン制御部３２は、現像ロータリーユニット１５の収納位置における現像カートリッジ１４の有無や位置などと共に、その現像カートリッジ１４のトナーの色情報などの各種情報をＣＰＵ３３が本体メモリ３５内に記憶保持させて適宜把握することにより最適な画像形成制御を実行することができ、また、エラーが発生した場合には、その各種情報をオペレーションポートなどに表示出力することにより原因の追跡などに役立てることができる。
【００４５】
この非接触ＩＣチップ４２のメモリセル４６内の記憶情報は、エンジン制御部３２のＣＰＵ３３がＲＯＭ３４内の制御プログラムに従って送受信回路５２を介してメモリタグ４１との間で非接触通信を行うことにより、書き換えたり読み出したりするようになっており、例えば、電源投入時や現像カートリッジ１４の交換時には、ＣＰＵ３３は、非接触通信に必要な時間だけ、現像カートリッジ１４毎のメモリタグ４１（現像側アンテナ４３）が本体側アンテナ５１に対面するように現像ロータリーユニット１５を少なくとも一回転させて書換・読出処理を実行する。
【００４６】
また、定常動作時には、ＣＰＵ３３は、例えば、図４に示すように、画像データの印字命令を受け取ると、待機位置のホームポジションから現像ロータリーユニット１５の回転を開始させることにより、まずは、イエロー（Ｙ）のトナーを収容する現像カートリッジ１４Ｙを感光体ドラム１２に対面する画像の記録形成位置Ｐに位置させて、その現像カートリッジ１４Ｙにより感光体ドラム１２表面に形成する静電潜像のトナー現像を行わせる。この後には、ＣＰＵ３３は、同様に、シアン（Ｃ）のトナーを収容する現像カートリッジ１４Ｃ、マゼンダ（Ｍ）のトナーを収容する現像カートリッジ１４Ｍ、ブラック（Ｋ）のトナーを収容する現像カートリッジ１４Ｋを、順次に画像の記録形成位置Ｐに位置させて（切り換えて）それぞれトナー現像を行わせることにより、画像データに基づくカラーのトナー像を形成して記録用紙に転写定着させて画像データの印字処理を行う。
【００４７】
ＣＰＵ３３は、この印字制御と並行して、シアン（Ｃ）の現像カートリッジ１４Ｃの現像動作時には、その直前に現像動作を行っていたイエロー（Ｙ）の現像カートリッジ１４Ｙのメモリタグ４１Ｙが本体側アンテナ５１に対面する通信位置に位置しているので、装置本体側の送受信回路５２を介する非接触通信をそのメモリタグ４１Ｙとの間で実行することにより、そのメモリタグ４１Ｙのメモリセル４６内の記憶情報の書換や読出を行わせる。この後には、ＣＰＵ３３は、同様に、シアン（Ｃ）の現像カートリッジ１４Ｃのメモリタグ４１Ｃ、マゼンダ（Ｍ）の現像カートリッジ１４Ｍのメモリタグ４１Ｍが、マゼンダ（Ｍ）の現像カートリッジ１４Ｍ、ブラック（Ｋ）の現像カートリッジ１４Ｋの現像動作時に本体側アンテナ５１に対面する通信位置に順次に位置するので、装置本体側の送受信回路５２を介する非接触通信をそのメモリタグ４１Ｃ、４１Ｍとの間でも実行することにより、そのメモリタグ４１Ｃ、４１Ｍのメモリセル４６内の記憶情報の書換や読出も続けて行わせる。そして、ＣＰＵ３３は、ブラック（Ｋ）の現像カートリッジ１４Ｋによる現像動作が終了した後には、イエロー（Ｙ）の現像カートリッジ１４Ｙを画像の記録形成位置Ｐに画像形成処理を行うことなく再度位置させることにより、そのブラック（Ｋ）の現像カートリッジ１４Ｋのメモリタグ４１Ｋを、本体側アンテナ５１に対面する通信位置に位置させて装置本体側の送受信回路５２を介する非接触通信をそのメモリタグ４１Ｋとの間で実行する。これにより、ＣＰＵ３３は、すべてのメモリタグ４１Ｙ〜４１Ｋのメモリセル４６内の記憶情報の書換や読出を完了し、この後に、現像ロータリーユニット１５をホームポジションまで回転させて待機状態に移行する。
【００４８】
このとき、本体側アンテナ５１に対面する通信位置の現像カートリッジ１４のメモリタグ４１は、感光体ドラム１２に対面する画像の記録形成位置Ｐに対して、現像ロータリーユニット１５（現像カートリッジ１４）を挟んで外装カバー１００に最接近する上側に位置している。このために、その通信位置のメモリタグ４１は、チャージ電圧を印加する際にノイズの発生源となる感光体ドラム１２付近から離隔しているとともに、現像ロータリーユニット１５や現像カートリッジ１４を挟んでいることにより、ノイズによる影響を受けることなく、メモリセル４６内の記憶情報の書換や読出をエラーの発生なく行うことができる。また、通信位置のメモリタグ４１は、発熱体となる定着ローラ対１８やレーザ光走査装置１１から最も離隔しているとともに、外装カバー１００を介して最も外気温に近い環境に位置することにより、できるだけ非接触ＩＣチップ４２内の各素子が熱的影響を受けることなく、装置本体側の送受信回路５２との間で効率よく（処理速度などが低下することなく）非接触通信することができとともに、メモリセル４６内の記憶情報の書換や読出をエラーなく行うことができる。
【００４９】
また、この現像カートリッジ１４は、感光体ドラム１２の表面に隙間を介して対面する現像ローラ１４ａを同期回転させて、その表面に形成された静電潜像にトナーを乗り移らさせて付着させることによりトナー現像するようになっており、感光体ドラム１２が図１中時計回りに回転するのに対して現像ローラ１４ａが図１中反時計回りに回転するので、その現像ローラ１４ａから感光体ドラム１２に乗り移ろうとするトナーの極一部がその回転方向下流側に飛散して浮遊する。このことから、現像ローラ１４ａと感光体ドラム１２の回転方向下流側には、その対面位置（現像位置）近傍上部を吸引口とする排気ダクト６０が配置されている。なお、現像カートリッジ１４の現像ローラ１４ａには、その現像カートリッジ１４のトナーの収容空間内で回転する供給ローラ１４ｂが圧接回転することによりトナーを供給するようになっている。
【００５０】
排気ダクト６０は、図１に示すように、感光体ドラム１２に現像カートリッジ１４の現像ローラ１４ａが対面する現像位置近傍（現像ロータリーユニット１５の装置本体内部側の現像位置近傍）の上部に配置された吸引口６１と、この吸引口６１から側面側の外装カバー１００側に向かってその現像ロータリーユニット１５の上側を覆うように迂回した後に、その外装カバー１００に沿うように降下させる排気流路を画成する排気経路６２と、この排気経路６２内の空気を吸引する吸引ファン６３ａが設置されて側面側の外装カバー１００に隣接する現像ロータリーユニット１５の下部付近に配置された排気口６３と、を備えている。この排気ダクト６０の排気経路６２の途中には、現像ロータリーユニット１５上側に位置して吸引空気内に混入するトナーを吸着除去するフィルタ６４が配設されており、排気口６３から吐出する排気空気内にトナーが含まれていて周囲を汚染してしまうことがないように設計されている。
【００５１】
また、この排気ダクト６０は、図５に示すように、感光体ドラム１２に現像カートリッジ１４の現像ローラ１４ａが対面する現像位置近傍上部の空気を、その主走査方向（軸長）の全体をカバーするように大きく開口する吸引口６１が吸引して、吸引ファン６３ａが設置されて小さく開口する排気口６３から吐出・排気することから、これらの間の排気経路６２は、感光体ドラム１２の全長幅程度の開口幅を有する吸引口６１からその一端部程度の開口幅の排気口６３に向かって絞るように形成されたダクト板６５により画成されている。
【００５２】
そして、この排気ダクト６０は、装置本体側の本体側アンテナ５１や送受信回路５２と同様に、外装カバー１００に沿って最も接近する位置に設置されており、その本体側アンテナ５１や送受信回路５２に隣接するダクト板６５の壁面６５ａには、その周囲の装置本体内の空気が排気経路６２内に流入可能に吸込口６６が複数並列されている。すなわち、排気ダクト６０は、吸引ファン６３ａが駆動して排気経路６２内の空気を吸引・排気すると、現像カートリッジ１４のメモリタグ４１や本体側アンテナ５１の通信位置付近（送受信回路５２付近も含む）の空気を吸込口６６から吸い込んで、結果的にそのメモリタグ４１などに空気を強制的に送る送風手段を構成している。
【００５３】
これにより、その現像カートリッジ１４のメモリタグ４１や送受信回路５２は、外装カバー１００に最も接近する通信位置（領域）に位置することによって、最も外気温に近い環境に位置して内部素子が熱的影響を受けて処理速度などが低下することをできるだけ回避可能にレイアウトされているのに加えて、装置本体の稼動時に排気ダクト６０（吸引ファン６３ａ）が感光体ドラム１２と現像カートリッジ１４の現像ローラ１４ａが対面する現像位置近傍の上部近傍を吸引するのに伴って、その周囲の空気が排気ダクト６０の排気経路６２内に吸込口６６から流入することにより、常に外気温に近い空気が吹き付けられて（曝されて）熱が持ち去られることにより冷却される。したがって、現像カートリッジ１４のメモリタグ４１と装置本体側の送受信回路５２は、内部素子が加熱してしまうことなく動作可能な環境内で、エラーの発生なく、同時に、効率よく、通信動作や記憶情報の読出や書換などの各種処理を行うことができる。
【００５４】
このように本実施形態においては、通信位置の現像カートリッジ１４外面のメモリタグ４１や装置本体側の送受信回路５２などは、装置本体の外装カバー１００に最も接近する環境内で、定着ローラ対１８やレーザ光走査装置１１から最も離隔するとともに、排気ダクト６０による空気の吸引（流通）を利用して周囲の空気を吹き付けることにより、不必要に温度上昇してしまうことを回避することができ、外部（装置本体内）や内部（内部素子内）における発熱による熱的影響を受けることなく、非接触通信や記憶情報の読出・書換を効率よく、またミスなく完了することができる。したがって、画像形成のプロセス処理の妨げになることなく、現像カートリッジ１４毎のメモリタグ４１内の各種情報の書換や読出処理を正確かつ迅速に行うことができ、装置各部の駆動制御に必要な情報を快適に利用可能に提供することができる。
【００５５】
本実施形態の第１の他の態様としては、図６に示すように、本実施形態のように排気ダクト６０が配置されていない場合でも、外装カバー１００に隣接する（沿って最も接近する）通信位置の現像カートリッジ１４のメモリタグ４１と装置本体側の本体側アンテナ５１や送受信回路５２の間に、装置外の空気が装置本体内に流入して通過することができるように、通気孔７１をその外装カバー１００の上部と下部に配置してもよく、また、その流入する外部の空気が現像カートリッジ１４のメモリタグ４１と装置本体側の本体側アンテナ５１などの間を流通するように案内板７２を配置してもよい。この場合には、本実施形態のように強制的に空気を吹き付けることは行わないが、外部の空気が外装カバー１００により妨げられることなく流入可能にすることができ、効果的にメモリタグ４１などを冷却することができる。また、この通気孔７１や案内板７２を本実施形態に適用して、より効果的に冷却するようにしてもよいことはいうまでもない。
【００５６】
本実施形態の第２の他の態様としては、図７に示すように、本実施形態のように非接触通信するためのアンテナに換えて、装置本体側の送受信回路５２には電極端子７５を備えるコネクタ７６を接続する一方、現像カートリッジ１４側には不図示の電極端子を露出させるメモリタグ７７を設置して、通信時にはコネクタ７６がメモリタグ７７に接近して電極端子７５同士を圧接させることにより接触式に通信可能に接続する場合にも適用することができる。この場合には、上述実施形態と同様に、通信位置の現像カートリッジ１４外面のメモリタグ７７や装置本体側の送受信回路５２などを、装置本体の外装カバー１００に最も接近して定着ローラ対１８などの発熱体から離隔する環境内で、排気ダクト６０による空気の吸引（流通）を利用して周囲の空気を吹き付けることにより効果的に冷却することができる。
【００５７】
本実施形態によれば、現像カートリッジ外面の記憶素子は、通信時には、装置本体の外装カバーに最も接近する位置に位置して、装置本体内の発熱体となる装置からの熱的な影響を少なく、記憶情報の読出・書込や通信処理を行うことができる。したがって、記憶素子内の記憶情報の読出や書込にエラーが生じたり、その記憶情報の通信処理能力が低下などしてしまうこと回避することができる。この結果、現像カートリッジ毎の記憶素子に正確かつ迅速にアクセスして、その記憶素子内の記憶情報を画像処理などの駆動制御に快適に利用することができる。
【００５８】
これまで本発明の一実施形態について説明したが、本発明は上述の実施形態に限定されず、その技術的思想の範囲内において種々異なる形態にて実施されてよいことは言うまでもない。例えば、本実施形態では、現像カートリッジを現像ロータリーユニット内に収納する画像形成装置を説明するが、これに限るものではなく、例えば、現像カートリッジを並列したり、感光体ドラムの周囲に配置する構成を採用する画像形成装置にも適用することができる。また、本実施形態では、トナーを収容する容器内に現像ローラを一体に装着する現像カートリッジを一例に説明するが、これに限るものではなく、現像ローラなどの現像装置とトナーの収容容器（トナーカートリッジ）とを別体に作製して別個に装置本体に装着する現像カートリッジとしてもよいことはいうまでもない。
【図面の簡単な説明】
【００５９】
【図１】本発明に係る画像形成装置の一実施形態を示す図であり、その概略全体構成を示す透視正面図である。
【図２】その制御部を説明する関係ブロック図である。
【図３】その要部構成を示す図であり、（ａ）はその現像カートリッジ側に設置するメモリタグ（記憶素子）を示す透視平面図、（ｂ）はその通信手段を示す関係ブロック図である。
【図４】その画像形成動作と通信動作とのタイミングを説明するタイミングチャートである。
【図５】その要部構成を展開した状態を示す概念平面図である。
【図６】その第１の他の態様の概略構成を示す透視正面図である。
【図７】その第２の他の態様の概略構成を示す透視正面図である。
【符号の説明】
【００６０】
１０  画像記録装置、１１  レーザ光走査装置、１２  感光体ドラム、
１４  現像カートリッジ、１４ａ  現像ローラ、１５  現像ロータリーユニット、
１６  中間転写ベルト、１７  転写ローラ、１８  定着ローラ対、
２０  用紙搬送装置、３０  制御ユニット、３１  コントローラ部、
３２  エンジン制御部、３３  ＣＰＵ、３５  本体メモリ、４１，７７  メモリタグ、
４２  非接触ＩＣチップ、４３  現像側アンテナ、４４  整流器、
４５  信号解析ＲＦ、４６  メモリセル、４７  制御部、５１  本体側アンテナ、
５２  送受信回路、６０  排気ダクト、６１  吸引口、６２  排気経路、
６３  排気口、６３ａ  吸引ファン、６５  ダクト板、６５ａ  壁面、
６６  吸込口、７１  通気孔、７２  案内板、７５  電極端子  ７６  コネクタ、
１００  外装カバー
【図１】
2006227582.tif 000003
【図２】
2006227582.tif 000004
【図３】
2006227582.tif 000005
【図４】
2006227582.tif 000006
【図５】
2006227582.tif 000007
【図６】
2006227582.tif 000008
【図７】
2006227582.tif 000009